【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
航空機システムであって、
第１および第２の対向する流れ面と先端部とを有するエーロフォイルと、
前記エーロフォイルによって担持される渦消散装置とを含み、前記渦消散装置は、
流体を前記先端部から外に方向付けるよう位置決めされた流体流れオリフィスと、
前記流体流れオリフィスに作動的に結合されたアクチュエータとを含み、前記アクチュエータは、流れが前記先端部から外に方向付けられる態様を変えるよう位置決めされ、前記渦消散装置はさらに、
前記アクチュエータの動作を指示するよう前記アクチュエータに作動的に結合されたコントローラを含む、航空機システム。
【請求項２】
前記アクチュエータは、前記オリフィスと流体連通し、かつ前記オリフィスを通って相対する方向に前後に流体を生じさせるよう位置決めされた面を含む、請求項１に記載のシステム。
【請求項３】
前記アクチュエータは、ドライバに結合され前後に移動可能なピストンを含み、該ピストンは該オリフィスと流体流通する面を有する、請求項２記載のシステム。
【請求項４】
前記アクチュエータは偏向可能なダイヤフラムを含む、請求項２記載のシステム。
【請求項５】
前記アクチュエータは回転可能なベーンを含み、該ベーンは該ベーンを回転可能に揺動するように構成されるドライバに連結された、請求項２記載のシステム。
【請求項６】
エーロフォイルシステムを作動させるための方法であって、
空気中にエーロフォイルを通らせつつ前記エーロフォイルで揚力を発生させることによって翼先端部の渦を発生させるステップと、
複数の流体パルスを前記エーロフォイルの先端部から外に方向付けることによって、前記渦を少なくとも部分的に消散させるステップとを含む、方法。
【請求項７】
複数の流体パルスを方向付けることは、流体流れオリフィスを通って相対する方向に前後に流体を生じさせることを含む請求項６記載の方法。
【手続補正２】
【補正対象書類名】明細書
【補正対象項目名】００９５
【補正方法】変更
【補正の内容】
【００９５】
上述のノズルはいずれも、図に示され関連する文脈に記載されるものとは異なる特徴を有し得る。たとえば、図に示されるノズルが有する出口の形状は断面がほぼ円形であってもよいが、他の実施例においては、ノズルの出口（および／またはノズルの他の領域）は断面が非円形であってもよい。複数のノズルを（たとえばスロットの形で）組合せて個々のノズルの全体数を減らすことができるが、他の実施例においては、個々のノズルの数を図に示される数よりも増やすこともできる。ノズルは、図に示され上述されたものとは異なる形状および構成であってもよく、図に示され上述されるものとは異なる構成を有する航空機に搭載されてもよい。多くの場合、ノズルはエーロフォイルの先端部からの空気を方向付けるよう構成され、場合によっては、当該ノズルは他の気体または他の流体を方向付けることもできる。この発明のいくつかの実施例に関連付けられた利点をそれらの実施例の文脈において説明してきたが、他の実施例もこのような利点を示す可能性があり、すべての実施例がこの発明の範囲内に収まるこのような利点を必ずしも示す必要はない。したがって、この発明は、添付の特許請求の範囲による以外、限定されない。
また、本発明は以下に記載する態様を含む。
（態様１）
航空機システムであって、
第１および第２の対向する流れ面と先端部とを有するエーロフォイルと、
前記エーロフォイルによって担持される渦消散装置とを含み、前記渦消散装置は、
流体を前記先端部から外に方向付けるよう位置決めされた流体流れオリフィスと、
前記流体流れオリフィスに作動的に結合されたアクチュエータとを含み、前記アクチュエータは、流れが前記先端部から外に方向付けられる態様を変えるよう位置決めされ、前記渦消散装置はさらに、
前記アクチュエータの動作を指示するよう前記アクチュエータに作動的に結合されたコントローラを含む、航空機システム。
（態様２）
前記オリフィスは流体流れ導管によって担持され、前記アクチュエータは、前記流体流れ導管に作動的に結合され、前記先端部に対して前記流体流れ導管および前記オリフィスを動かすよう位置決めされる、態様１に記載のシステム。
（態様３）
前記オリフィスは加圧された流体の源に結合可能であり、前記アクチュエータは、前記オリフィスを通る加圧された流体の流れを選択的に制御するよう位置決めされたバルブを含む、態様１に記載のシステム。
（態様４）
前記アクチュエータは、前記オリフィスと流体連通し、かつ前記オリフィスを通って相対する方向に前後に流体を生じさせるよう位置決めされた面を含む、態様１に記載のシステム。
（態様５）
前記コントローラは、前記オリフィスを通じて流れのパルスを送出するよう前記アクチュエータに指示するようプログラムされる、態様１に記載のシステム。
（態様６）
前記コントローラは、約１Ｈｚ〜約１０Ｈｚの周波数で前記オリフィスを通じて流れのパルスを送出するようバルブ装置に指示するようプログラムされる、態様５に記載のシステム。
（態様７）
前記流体流れオリフィスは、前記オリフィスが上方に向けられた第１の位置と、前記オリフィスが下方に向けられた第２の位置との間で、前記エーロフォイルに対して移動可能である、態様１に記載のシステム。
（態様８）
前記オリフィスは第１のオリフィスを含み、翼は、先端部を有する展開可能な高揚力装置を含み、前記渦消散装置は、流体の流れを前記高揚力装置の前記先端部から外に方向付けるよう前記高揚力装置の前記先端部に位置決めされた第２のオリフィスを含み、第２の流体流れオリフィスは加圧された流体の源に結合可能である、態様１に記載のシステム。
（態様９）
前記第１および第２の流体流れオリフィスの一方は飛行中に前記エーロフォイルに対して移動可能であり、前記第１および第２の流体流れオリフィスの他方は飛行中に前記エーロフォイルに対して固定される、態様８に記載のシステム。
（態様１０）
前記流体流れオリフィスは複数の流体流れオリフィスのうちの１つであり、各々は、流体の流れを前記先端部から外に方向付けるよう位置決めされ、各々は加圧された流体の源に結合可能であり、前記システムはさらに、前記複数の流体流れオリフィスと結合されて流体連通するバルブ装置を含む、態様１に記載のシステム。
（態様１１） 
前記オリフィスは、前記エーロフォイルの第１の流れ面の方に位置決めされた第１の列と、前記エーロフォイルの第２の流れ面の方に位置決めされた第２の列とを含む少なくとも２つの列に配置される、態様１０に記載のシステム。
（態様１２）
エーロフォイルシステムを作動させるための方法であって、
空気中にエーロフォイルを通らせつつ前記エーロフォイルで揚力を発生させることによって翼先端部の渦を発生させるステップと、
複数の流体パルスを前記エーロフォイルの先端部から外に方向付けることによって、前記渦を少なくとも部分的に消散させるステップとを含む、方法。
（態様１３）
複数の流体パルスを方向付けるステップは、前記流体パルスが通過する出口オリフィスと流体連通するバルブ装置に結合されたコンピュータ読取可能媒体によって実行される、態様１２に記載の方法。
（態様１４）
複数の流体パルスを方向付けるステップは、約１Ｈｚ〜約１０Ｈｚの周波数で複数の流体パルスを方向付けるステップを含む、態様１２に記載の方法。
（態様１５）
前記流体パルスはノズルを通り、前記方法はさらに、前記ノズルを上方向および下方向に動かして、前記ノズルが上方向に向けられている間、前記流体パルスのいくらかを方向付け、前記ノズルが下方向に向けられている間、他の流体パルスを方向付けるステップを含む、態様１２に記載の方法。
（態様１６）
複数の流体パルスを方向付けるステップは、第１の列および第２の列に配置された複数のオリフィスを通じて複数の流体パルスを方向付けるステップを含み、前記方法はさらに、前記第１の列におけるノズルのオリフィスを作動状態にする一方で前記第２の列におけるノズルのオリフィスを非作動状態にするステップと、前記第２の列におけるノズルのオリフィスを作動状態にする一方で前記第１の列におけるノズルのオリフィスを非作動状態にするステップとを含む、態様１２に記載の方法。